(57)【要約】  例示的な石鹸、消毒剤およびローションのディスペンサーが本明細書に開示されている。例示的ディスペンサーは、ハウジング、容器を受けるためのレセプタクル、石鹸、消毒剤またはローションを含む流体の容器、容器と流体連通するポンプ、電源、モーターに連結されたポンプと、電源およびモーターと回路通信するパルス幅変調回路を含む。パルス幅変調回路は最初に、選択された用量の流体を基底速度で分注するように設定される。流体の分注の実際の速度を示すパラメータを検出するためのセンサーも含まれる。流体の分注の実際の速度が基底速度よりも遅いか、または基底速度よりも速い場合、パルス幅変調回路はパルス幅を調整して、後続の流体分注速度を基底速度に近づける。【選択図】図１
2021501652.tif 000002
【特許請求の範囲】
【請求項１】
石鹸、消毒剤またはローションのディスペンサーであって、
ハウジングと、
容器を受けるためのレセプタクルと、
石鹸、消毒剤またはローションを含む流体の容器と、
前記容器と流体連通するポンプと、
電源と、
モーターであって、
前記ポンプが連結する、モーターと、
前記電源および前記モーターと回路通信するパルス幅変調回路であって、
最初に、選択された用量の流体を基底速度で分注するように設定される、パルス幅変調回路と、
前記流体の分注の実際の速度を示すパラメータを検出するセンサーと、を備え、
流体の前記分注の前記実際の速度が前記基底速度よりも遅いか、または前記基底速度よりも速い場合、前記パルス幅変調回路は、前記パルス幅を調整して、後続の前記流体分注速度を前記基底速度に近づける、石鹸、消毒剤またはローションのディスペンサー。
【請求項２】
パラメータを検出するための前記センサーが、前記ポンプまたはモーターの回転を検出する、請求項１に記載の石鹸、消毒剤またはローションのディスペンサー。
【請求項３】
パラメータを検出するための前記センサーが、光学センサーである、請求項１に記載の石鹸、消毒剤またはローションのディスペンサー。
【請求項４】
前記パルス幅変調回路が、前記実際の速度が前記基底速度の閾値を超えているときに、前記パルス幅を調整する、請求項１に記載の石鹸、消毒剤またはローションのディスペンサー。
【請求項５】
前記閾値は、前記基底速度のプラスマイナス約５％である、請求項４に記載の石鹸、消毒剤またはローションのディスペンサー。
【請求項６】
前記パルス幅変調回路が、事前選択された数の流体の分注後に、前記パルス幅を調整する、請求項１に記載の石鹸、消毒剤またはローションのディスペンサー。
【請求項７】
前記パルス幅変調回路が、事前選択された時間の経過後に、前記パルス幅を調整する、請求項１に記載の石鹸、消毒剤またはローションのディスペンサー。
【請求項８】
前記パルス幅変調回路が、事前選択された流体の分注数、および経過時間の関数として前記パルス幅を調整する、請求項１に記載の石鹸、消毒剤またはローションのディスペンサー。
【請求項９】
石鹸、消毒剤またはローションのディスペンサーであって、
ハウジングと、
容器を受けるためのレセプタクルと、
石鹸、消毒剤またはローションを含む流体の容器と、
前記容器と流体連通するポンプと、
電源と、
モーターであって、
前記ポンプが連結する、モーターと、
保存された分注速度を保存するためのメモリと、
前記電源および前記モーターと回路通信するパルス幅変調回路と、
前記ポンプまたはモーターの回転を感知するセンサーと、
前記センサーから信号を受信し、流体用量の分注速度を決定するためのプロセッサであって、
前記パルス幅回路に、事前選択された数の分注後に印加される前記電圧パルスの幅を調整させ、後続の分注速度がほぼ前記保存された分注速度であるようにする、プロセッサと、を備える、石鹸、消毒剤またはローションのディスペンサー。
【請求項１０】
パラメータを検出するための前記センサーが、前記ポンプまたはモーターの回転を検出する、請求項９に記載の石鹸、消毒剤またはローションのディスペンサー。
【請求項１１】
パラメータを検出するための前記センサーが、光学センサーである、請求項９に記載の石鹸、消毒剤またはローションのディスペンサー。
【請求項１２】
前記パルス幅変調回路が、事前選択された流体の分注数、および経過時間の関数として前記パルス幅を調整する、請求項９に記載の石鹸、消毒剤またはローションのディスペンサー。
【請求項１３】
石鹸、消毒剤またはローションのディスペンサーであって、
ハウジングと、
容器を受けるためのレセプタクルと、
石鹸、消毒剤またはローションを含む流体の容器と、
前記容器と流体連通するポンプと、
電源と、
モーターであって、
前記ポンプが連結する、モーターと、
プロセッサと、
前記電源および前記モーターと回路通信するパルス幅変調回路であって、
最初に、選択された用量の流体を、選択された時間にわたって生じさせるように設定される、パルス幅変調回路と、
分注される流体の選択された用量を示すパラメータを検出するセンサーと、を備え、
前記プロセッサが、分注される流体の選択された用量および分注時間を示す前記パラメータを使用して、前記パルス幅回路に前記パルスの前記幅を調整させ、後続の流体の分注を前記選択された時間にわたって分注させる、石鹸、消毒剤またはローションのディスペンサー。
【請求項１４】
パラメータを検出するための前記センサーが、前記ポンプまたはモーターの回転を検出する、請求項１に記載の石鹸、消毒剤またはローションのディスペンサー。
【請求項１５】
パラメータを検出するための前記センサーが、光学センサーである、請求項１に記載の石鹸、消毒剤またはローションのディスペンサー。
【請求項１６】
前記パルス幅変調回路が、前記実際の速度が前記事前選択された時間の閾値を超えているときに、前記パルス幅を調整する、請求項１に記載の石鹸、消毒剤またはローションのディスペンサー。
【請求項１７】
前記閾値は、前記事前選択された時間のプラスマイナス約５％である、請求項４に記載の石鹸、消毒剤またはローションのディスペンサー。
【請求項１８】
前記パルス幅変調回路が、事前選択された数の流体の分注後に、前記パルス幅を調整する、請求項１に記載の石鹸、消毒剤またはローションのディスペンサー。
【請求項１９】
前記パルス幅変調回路が、事前選択された時間の経過後に、前記パルス幅を調整する、請求項１に記載の石鹸、消毒剤またはローションのディスペンサー。
【請求項２０】
前記パルス幅変調回路が、事前選択された流体の分注数、および経過時間の関数として前記パルス幅を調整する、請求項１に記載の石鹸、消毒剤またはローションのディスペンサー。
【請求項２１】
石鹸、消毒剤またはローションのディスペンサーであって、
ハウジングと、
容器を受けるためのレセプタクルと、
石鹸、消毒剤またはローションを含む流体の容器と、
前記容器に固定されたキーであって、
分注速度と分注時間を決定するために使用されるパラメータを示すデータを含む、キーと、
前記キーの前記データを読み取るためのリーダーと、
プロセッサと、
パルス幅変調回路と、
モーターと、
前記モーターに連結するポンプと、
電源と、を備え、
前記プロセッサが、前記パルス幅変調回路に、前記キーから読み取られた前記データの関数として選択されるパルス幅を有する前記モーターに電圧を送達させ、所望の速度で所望の分注時間にわたって分注させる、石鹸、消毒剤またはローションのディスペンサー。
【請求項２２】
実際の分注速度を示すパラメータを検出するセンサーをさらに備え、前記パルス幅変調回路が、後続の分注で前記モーターに印加される前記電圧パルスの幅を調整して、前記分注速度を前記キーに保存された前記パラメータの関数である前記分注速度に近づける、請求項２１に記載の石鹸、消毒剤またはローションのディスペンサー。
【請求項２３】
前記センサーが、前記ポンプまたはモーターの回転を検出する、請求項２２に記載の石鹸、消毒剤またはローションのディスペンサー。
【請求項２４】
パラメータを検出するための前記センサーが、光学センサーである、請求項２２に記載の石鹸、消毒剤またはローションのディスペンサー。
【請求項２５】
前記パルス幅変調回路が、前記実際の速度が前記基底速度の閾値を超えているときに、前記パルス幅を調整する、請求項２２に記載の石鹸、消毒剤またはローションのディスペンサー。
【請求項２６】
前記閾値は、前記基底速度のプラスマイナス約５％である、請求項２５に記載の石鹸、消毒剤またはローションのディスペンサー。
【請求項２７】
前記パルス幅変調回路が、事前選択された数の流体の分注後に、前記パルス幅を調整する、請求項２２に記載の石鹸、消毒剤またはローションのディスペンサー。
【請求項２８】
前記パルス幅変調回路が、事前選択された時間の経過後に、前記パルス幅を調整する、請求項２２に記載の石鹸、消毒剤またはローションのディスペンサー。
【請求項２９】
前記パルス幅変調回路が、事前選択された流体の分注数、および経過時間の関数として前記パルス幅を調整する、請求項２２に記載の石鹸、消毒剤またはローションのディスペンサー。
【請求項３０】
前記キーが、前記容器内の流体のタイプを示すデータを含み、前記プロセッサが、前記ディスペンサーを設定して、第一の容器内の流体のタイプに応じて作動し、流体のタイプが流体の第一のタイプと異なる場合、後続の流体の容器を有するオペレータによる前記ディスペンサーの操作を防止する、請求項２２に記載の石鹸、消毒剤またはローションのディスペンサー。
【請求項３１】
石鹸、消毒剤またはローションのディスペンサーであって、
ハウジングと、
容器を受けるためのレセプタクルと、
石鹸、消毒剤またはローションを含む流体の容器と、
通信ポートと、
プロセッサと、
メモリと、
パルス幅変調回路と、
モーターと、
前記モーターに連結するポンプと、
電源と、を備え、
前記通信ポートが、前記分注速度および前記分注時間を設定するための一つまたは複数の信号を受信するように構成され、
前記プロセッサが、前記パルス幅変調回路に、前記一つまたは複数の信号の関数として選択されるパルス幅を有する前記モーターに電圧を送達させ、前記所望の速度で所望の分注時間にわたって分注させる、石鹸、消毒剤またはローションのディスペンサー。
【請求項３２】
前記通信ポートは無線通信ポートである、請求項３１に記載の石鹸、消毒剤またはローションのディスペンサー。
【請求項３３】
前記通信ポートは、通信ケーブルを接続するためのコネクタを有する、請求項３１に記載の石鹸、消毒剤またはローションのディスペンサー。
【請求項３４】
石鹸、消毒剤またはローションのディスペンサーであって、
ハウジングと、
容器を受けるためのレセプタクルと、
前記レセプタクルの下に位置する貯蔵部であって、
入口を有し、
出口を有し、
前記入口および前記出口が、互いにオフセットされている、貯蔵部と、
ポンプであって、
前記貯蔵部出口に接続された入口を有する、ポンプと、
前記ポンプに連結するモーターと、
電源と、を備え、
前記貯蔵部は、再充填ユニットから充填され、前記ポンプは前記貯蔵部から流体を引き出す、石鹸、消毒剤またはローションのディスペンサー。
【請求項３５】
貯蔵部は、第一の環状壁を有し、前記入口を含む第一の部分と、第二の環状壁を有し、前記出口を含む第二の部分とで形成され、前記第一の環状壁および前記第二の環状壁は、互いに接続して前記貯蔵部を形成する、請求項３４に記載の石鹸、消毒剤またはローションのディスペンサー。
【請求項３６】
前記第一の部分および前記第二の部分が、回転して、前記入口と前記出口との間の前記オフセット距離を変化させることができる、請求項３４に記載の石鹸、消毒剤またはローションのディスペンサー。
【請求項３７】
石鹸、消毒剤またはローションのディスペンサーであって、
ハウジングと、
容器を受けるためのレセプタクルと、
石鹸、消毒剤またはローションを含む流体の容器と、
前記容器と流体連通するポンプと、
電源と、
モーターであって、
前記ポンプが連結する、モーターと、
前記電源および前記モーターと回路通信する電力制御回路であって、
最初に、選択された用量の流体を基底速度で分注するように設定される、電力制御回路と、
前記流体の分注の実際の速度を示すパラメータを検出するセンサーと、を備え、
流体の前記分注の前記実際の速度が前記基底速度よりも遅いか、または前記基底速度よりも速い場合、前記電力制御回路は、前記モーターに送達される電力を調整して、後続の前記流体分注速度を前記基底速度に近づける、石鹸、消毒剤またはローションのディスペンサー。
【請求項３８】
石鹸、消毒剤またはローションのディスペンサーであって、
ハウジングと、
容器を受けるためのレセプタクルと、
石鹸、消毒剤またはローションを含む流体の容器と、
前記容器に固定されたキーであって、
分注速度と分注時間を決定するために使用されるパラメータを示すデータを含む、キーと、
前記キーの前記データを読み取るためのリーダーと、
プロセッサと、
電力制御回路と、
モーターと、
前記モーターに連結するポンプと、
電源と、
前記プロセッサが、前記電力制御回路に、前記キーから読み取られた前記データの関数として選択される電力レベルを有する前記モーターに電力を送達させ、前記所望の速度で所望の分注時間にわたって分注させ、
実際の分注速度を示すパラメータを検出するためのセンサーと、を備え、前記電力制御回路が、後続の分注で前記モーターに印加される前記電力を調整して、前記分注速度を前記キーに保存された前記パラメータの関数である前記分注速度に近づける、石鹸、消毒剤またはローションのディスペンサー。
【請求項３９】
石鹸、消毒剤またはローションのディスペンサーであって、
ハウジングと、
容器を受けるためのレセプタクルと、
石鹸、消毒剤またはローションを含む流体の容器と、
前記容器と流体連通するポンプと、
電源と、
モーターであって、
前記ポンプが連結する、モーターと、
プロセッサと、
前記電源および前記モーターと回路通信する電力制御回路であって、
最初に、選択された用量の流体を、選択された時間にわたって生じさせるように設定される、電力制御回路と、
分注される流体の選択された用量を示すパラメータを検出するセンサーと、を備え、
前記プロセッサが、分注される流体の選択された用量および分注時間を示す前記パラメータを使用して、前記電力制御回路に前記モーターに提供される前記電力を調整させ、後続の流体の分注を前記選択された時間にわたって分注させる、石鹸、消毒剤またはローションのディスペンサー。
【発明の詳細な説明】
【技術分野】
【０００１】
関連出願
本発明は、２０１７年１１月６日に出願され、「ＴＯＵＣＨ−ＦＲＥＥ  ＤＩＳＰＥＮＳＥＲＳ」と題された、米国仮特許出願第６２／５８１８３０号の利益および優先権を主張し、参照によりその全体が本明細書に組み込まれる。
【０００２】
本発明は、一般にタッチフリーの石鹸、消毒剤またはローションのディスペンサーシステムに関し、特にタッチフリーディスペンサー用の電力システムに関する。
【背景技術】
【０００３】
タッチフリー（またはハンズフリー）ディスペンサーでは、液体ポンプまたは泡ポンプが駆動サイクルを介して駆動アクチュエータによって作動し、流体の用量を分注する。駆動アクチュエータは、ギアまたはその他の公知の機械的構成要素で形成された駆動トレインを有する直流（ＤＣ）モーターによって電力供給される。駆動トレイン（モーターを含む）は、ポンプをストロークまたはスピンさせる。モーターは通常、電池によって電力供給される。モーターに送達される電力は、モータードロー（またはモーターの負荷）および電源の電力容量によって決定される。ディスペンサーは通常、ユーザーセンサーからの信号を受信するコントローラまたはマイクロプロセッサを使用して、流体の用量を分注し、スイッチ装置（例えば、電力トランジスタまたはリレー）に信号を送信する。スイッチ装置は、作動サイクルの間、電源をモーターに接続する。モーターは、必要に応じて電源から電力（または電流）を引き出し、電源は提供できるレベルで電力を供給する。典型的なディスペンサーは、モーター速度を制御したり、電源から送達される電力を制限したりしない。
【発明の概要】
【０００４】
例示的な石鹸、消毒剤およびローションのディスペンサーが本明細書に開示されている。例示的ディスペンサーは、ハウジング、容器を受けるためのレセプタクル、石鹸、消毒剤またはローションを含む流体の容器、容器と流体連通するポンプ、電源、モーターに連結されたポンプと、電源およびモーターと回路通信するパルス幅変調回路を含む。パルス幅変調回路は最初に、選択された用量の流体を基底速度で分注するように設定される。流体の分注の実際の速度を示すパラメータを検出するためのセンサーも含まれる。流体の分注の実際の速度が基底速度よりも遅いか、または基底速度よりも速い場合、パルス幅変調回路は電圧のパルス幅を調整して、後続の流体分注速度を基底速度に近づける。
【０００５】
別の例示的ディスペンサーは、ハウジング、容器を受けるためのレセプタクル、石鹸、消毒剤またはローションを含む流体の容器、容器と流体連通するポンプ、電源、ポンプに連結されたモーター、保存された分注速度を保存するためのメモリ、電源およびモーターと回路通信するパルス幅変調回路、ポンプまたはモーターの回転を感知するセンサー、およびセンサーからの信号を受信し、流体の用量を分注する速度を決定するためのプロセッサを含む。プロセッサは、パルス幅回路に、事前選択された数の分注後にモーターに印加される電圧パルスの幅を調整させ、後続の分注速度がほぼ保存された分注速度であるようにする。
【０００６】
別の例示的ディスペンサーは、ハウジング、容器を受けるためのレセプタクル、石鹸、消毒剤またはローションを含む流体の容器、容器と流体連通するポンプ、電源、ポンプに連結されたモーター、プロセッサ、および電源およびモーターと回路通信するパルス幅変調回路を含む。パルス幅変調回路は最初に、選択された用量の流体を選択された時間にわたって分注するように設定される。選択された用量の流体を示すパラメータを検出するためのセンサーも含まれる。プロセッサは、分注される流体の選択された用量および分注時間を示すパラメータを使用して、パルス幅変調回路に電圧パルスの幅を調整させ、後続の流体の分注を選択された時間にわたって分注させる。
【０００７】
別の例示的なディスペンサーは、ハウジング、容器を受けるためのレセプタクル、石鹸、消毒剤またはローションを含む流体の容器、容器に固定されたキーを含む。キーには、分注速度と分注時間を決定するために使用されるパラメータを示すデータが含まれる。キー上のデータを読み取るためのリーダー、プロセッサ、パルス幅変調回路、モーター、モーターに連結されたポンプ、および電源がディスペンサーに含まれる。プロセッサは、パルス幅変調回路に、キーから読み取られたデータの関数として選択されるパルス幅を有するモーターに電圧を送達させ、所望の速度で所望の分注時間にわたって分注させる。
【０００８】
別の例示的ディスペンサーは、ハウジング、容器を受けるためのレセプタクル、石鹸、消毒剤またはローションを含む流体の容器、通信ポート、プロセッサ、メモリ、パルス幅変調回路、モーター、モーターに連結されたポンプ、および電源を含む。通信ポートは、分注速度および分注時間を設定するための一つまたは複数の信号を受信するように構成される。プロセッサは、パルス幅変調回路に、一つまたは複数の信号の関数として選択されるパルス幅を有するモーターに電圧を送達させ、所望の速度で所望の分注時間にわたって分注させる。
【０００９】
別の例示的なディスペンサーは、ハウジング、容器を受けるためのレセプタクル、レセプタクルの下に位置する貯蔵部を含み、貯蔵部は入口を有し、貯蔵部は出口を有する。入口および出口は互いにオフセットされる。貯蔵部出口に接続された入口を有するポンプが含まれる。モーターがポンプに連結され、電源も含まれる。貯蔵部は、容器を含む再充填ユニットから充填され、ポンプは貯蔵部から流体を引き出す。
【図面の簡単な説明】
【００１０】
本発明のこれらおよびその他の特徴および利点は、以下の記述および添付図面に関してより良く理解されるであろう。
【００１１】
【図１】図１は、再充填ユニットを有する例示的なディスペンサーシステムの説明的な概略図である。
【００１２】
【図２】図２および図３は、パルス幅変調負荷サイクルの例示的図である。
【図３】同上。
【００１３】
【図４】図４は、再充填ユニットを有する例示的なディスペンサーシステムの説明的な概略図である。
【００１４】
【図５】図５は、再充填ユニットを備えた例示的なタッチフリーディスペンサーシステムである。
【００１５】
【図６】図６は、再充填ユニットがディスペンサーから取り外された、図５の例示的なタッチフリーディスペンサーおよび再充填ユニットである。
【００１６】
【図７】図７〜図９は、ディスペンサーを較正するための例示的手順である。
【図８】同上。
【図９】同上。
【発明を実施するための形態】
【００１７】
以下は、本開示全体で使用される例示的用語の定義を含む。すべての用語の単数形および複数形の両方が、それぞれの意味の範囲内にある。特に明記されない限り、すべての用語の大文字および小文字の形態は、それぞれの意味の範囲内にある。
【００１８】
本明細書で使用される「回路通信」は、装置間の通信可能な関係を示す。直接の電気接続、電磁接続および光学接続、ならびに間接の電気接続、電磁接続および光学接続は、回路通信の例である。信号が他の装置によって変調されるかどうかにかかわらず、二つの装置は、一方の信号が他方によって受信された場合、回路通信している。例えば、増幅器、フィルター、変圧器、光アイソレータ、デジタルまたはアナログバッファ、アナログインテグレータ、他の電子回路、光ファイバートランシーバまたはサテライトのうちの一つまたは複数によって分離された二つの装置は、信号が中間装置によって変調されても、一方からの信号が他方に通信されている場合、回路通信している。別の例として、電磁センサーは、信号から電磁放射を受ける場合、信号と回路通信している。最後の例として、互いに直接接続されていないが、例えば、どちらもＣＰＵなどの第三の装置とインターフェースすることができる二つの装置は、回路通信している。
【００１９】
また、本明細書で使用される場合、デジタル化された電圧を表す電圧および値は、本出願の目的では同等であると考えられ、従って本明細書で使用される場合、「電圧」という用語は、信号、または信号を表すプロセッサ内の値、または信号を表す値から決定されるプロセッサ内の値のいずれかを指す。
【００２０】
「信号」は、本明細書で使用される場合、一つまたは複数の電気信号、アナログまたはデジタル信号、一つまたは複数のコンピュータ命令、ビットまたはビットストリームなどを含むが、これらに限定されない。
【００２１】
本明細書で使用される場合、「回路」と同義語の「ロジック」は、ハードウェア、ファームウェア、ソフトウェアおよび／または機能または動作を実行するためのそれぞれの組み合わせを含むが、これらに限定されない。例えば、所望の用途またはニーズに基づいて、ロジックは、ソフトウェア制御マイクロプロセッサまたはマイクロコントローラ、特定用途向け集積回路（ＡＳＩＣ）またはその他のプログラムされたロジック装置などの個別ロジックを含みうる。ロジックはまた、ソフトウェアとして完全に具体化されうる。本明細書で識別および説明される回路は、所望の機能を実施するために多くの異なる構成を有し得る。
【００２２】
詳細な説明で識別された値は例示的であり、特定のディスペンサーおよび／または再充填設計のために必要に応じて決定される。従って、本明細書で開示および特許請求される本発明の概念は、本明細書に開示される実施形態を説明するために使用される特定の値または値の範囲に限定されない。
【００２３】
図１は、その中に取り付けられた再充填ユニット１１０を有する例示的なディスペンサー１００を図示する。ディスペンサー１００はハウジング１０２を含む。いくつかの実施形態では、ハウジング１０２は、再充填ユニット１１０を取り囲む。いくつかの実施形態では、再充填ユニット１１０は、ハウジング１０２内に部分的に位置する。いくつかの実施形態では、再充填ユニット１１０は、ハウジング１０２の上部に接続される。ハウジング１０２内に位置するのは、システム回路１３０である。
【００２４】
システム回路１３０は、単一の回路基板上または複数の回路基板上にあってもよい。さらに、回路１３０の一部は、別個に、すなわち、回路基板上に配置されずに取り付けられてもよく、必要に応じて他の構成要素に電気的に接続されてもよい。この実施形態では、システム回路１３０は、プロセッサ１３２、メモリ１３３、ディスペンサーをプログラムするために使用され得る任意のヘッダ１３４、電源１３６、電圧調節器１３８、オブジェクトセンサー１４２、パルス幅変調回路１８０、スイッチング装置１８２、任意の無線通信回路１４０、および速度センサー１９０を含む。さまざまな実施形態で、これらの構成要素のすべてが必要というわけではない。いくつかの実施形態では、パルス幅変調回路１８０は、電力制御回路であってもよい。パルス幅変調は、モーターに印加される電圧のパルス幅を変化させることによって、モーターに送達される電力を変化させる。その他の電力制御回路は、例えば、電圧または電流を変化させるための回路を含んでもよい。パルス幅変調回路に関して本明細書で説明されるすべての実施形態はまた、パルス幅変調回路に関して本明細書に説明される機能を実施するための電力制御回路を開示すると解釈されるべきである（通信ポートと呼ばれることもある）。
【００２５】
プロセッサ１３２は、例えば、マイクロプロセッサまたはマイクロコントローラ、特定用途向け集積回路（ＡＳＩＣ）など個別ロジック、その他のプログラムされたロジック装置など、任意のタイプのプロセッサであってもよい。プロセッサ１３２は、任意のヘッダ１３４と回路通信している。ヘッダ１３４は、ユーザーがシステム回路１３０に接続して、回路をプログラムし、回路上の診断を実行する、および／または回路から情報を取得することを可能にする回路接続ポートである。
【００２６】
プロセッサ１３２は、メモリ１３３と回路通信している。必要に応じて、メモリ１３３は、例えば、ランダムアクセスメモリ（ＲＡＭ）、読み取り専用メモリ（ＲＯＭ）、プログラム可能な読み取り専用メモリ（ＰＲＯＭ）、電気的にプログラム可能な読み取り専用メモリ（ＥＰＲＯＭ）、電気的に消去可能なプログラム可能な読み取り専用メモリ（ＥＥＰＲＯＭ）、フラッシュ、磁気ディスクまたはテープ、ＣＤ−ＲＯＭおよびＤＶＤ−ＲＯＭなどを含む任意に読み取り可能な媒体、または異なるタイプのメモリの組み合わせなどのいかなるタイプのメモリであってもよい。いくつかの実施形態では、メモリ１３３はプロセッサ１３２とは分離し、いくつかの実施形態では、メモリ１３３はプロセッサ１３２上またはその内部に存在する。
【００２７】
例えば、一つまたは複数の電池などの電源１３６も提供される。電源１３６は、任意の電圧調節回路１３８と回路通信している。いくつかの例示的な実施形態では、電圧調節回路１３８は、プロセッサ１３２、オブジェクトセンサー１４２、無線通信回路１４０への制御電力を提供する。
【００２８】
任意の無線通信回路１４０は、本明細書に開示されたディスペンサーおよび／または本明細書に開示されたディスペンサーの無線プログラムとの無線通信を可能にするように構成された、例えば、無線ＲＦ、Ｂｌｕｅｔｏｏｔｈ（登録商標）、ＡＮＴ（登録商標）、赤外線など、任意のタイプの無線送信および／または受信回路であり得る。
【００２９】
プロセッサ１３２はまた、物体が分注領域内に存在するかどうかを検出するための任意のオブジェクトセンサー１４２とも回路通信している。オブジェクトセンサー１４２は、例えば、赤外線センサーおよび検出器、近接センサー、撮像センサー、熱センサーなど、任意のタイプの受動的または能動的オブジェクトセンサーであってもよい。
【００３０】
さらに、プロセッサ１３２は、パルス幅変調回路１８０と回路通信している。パルス幅変調回路１８０は、スイッチング装置１８２と回路通信している。いくつかの実施形態では、パルス幅変調回路１８０およびスイッチング装置１８２は、一つの回路として組み合わされる。いくつかの実施形態では、パルス幅変調回路１８０は、電圧調整回路（図示せず）、または本明細書で特許請求する機能を実行するために、電圧または電流の上げ下げを調整するために使用され得る電流調整回路（図示せず）で置き換えることができる。
【００３１】
スイッチング装置１８２は、電源１３６およびモーター１５０と回路通信している。作動中、プロセッサ１３２は、パルス幅変調回路１８０に信号を提供し、これによってパルス幅回路１８０はスイッチング装置１８２を制御し、電源１３６によって供給される電力を変調して、モーター１５０を駆動する。変調の詳細については、以下に説明する。いくつかの代替的な実施形態では、スイッチング装置１８２は電圧を調整し、その他いくつかの代替的な実施形態では、スイッチング装置は電流を調整する。
【００３２】
プロセッサ１３２は、ディスペンサー１００の出力を生成することに相関する要素の速度を測定する速度センサー１９０と回路通信している。いくつかの実施形態では、速度センサー１９０は、モーター１５０および／またはポンプ１１６の回転速度を決定する。従って、速度センサー１９０は、回転またはモーター１５０および／またはポンプ１１６を示すフィードバック信号を提供する任意のタイプのセンサーであってもよい。いくつかの実施形態では、速度センサー１９０は、一定時間にわたってモーター１５０および／またはポンプ１１６の回転を感知し、いくつかの実施形態では、速度センサー１９０は回転速度を感知する。本明細書に記載の例示的な実施形態は、回転ポンプを有するが、いくつかの実施形態では、ポンプはピストンポンプである。ピストンポンプの場合、速度センサー１９０は、出力ピストンの直線動作を感知し得る。いくつかの実施形態では、速度センサー１９０は、点Ａから点Ｂへのピストンの動きを感知する。いくつかの実施形態では、速度センサー１９０は光学センサーである。いくつかの実施形態では、速度センサー１９０は電界を感知する。いくつかの実施形態では、速度センサーは磁場を感知する。いくつかの実施形態では、速度センサー１９０は静電容量を感知する。いくつかの実施形態では、速度センサー１９０はインダクタンスを感知する。いくつかの実施形態では、速度センサー１９０は、速度を示す信号を提供するための圧力を感知する。いくつかの実施形態では、速度センサー１９０は、一つまたは複数の電流波形に基づく速度を決定する。いくつかの実施形態では、速度センサー１９０は、ポンプまたはモーターの回転数を決定するために使用され得る。いくつかの実施形態では、速度センサー１９０は、磁気リードであってもよい。
【００３３】
この例示的な実施形態では、再充填ユニット１１０が、図１のディスペンサー１００に挿入されて示されている。再充填ユニット１１０は、ディスペンサー１００に挿入され、ユニットとしてディスペンサー１００から取り外される。再充填ユニット１１０は、容器１１２、閉鎖部１９２、出口弁（図示せず）およびいくつかの実施形態では、空気入口弁（図示せず）または通気弁を含む。いくつかの実施形態では、再充填ユニット１１０はまた、例えば、発泡性石鹸、消毒剤、ローション、保湿剤または個人の衛生に使用されるその他の液体などの発泡性液体を含む。いくつかの実施形態では、再充填ユニット１１０は、泡ディスペンサーではなく、液体ディスペンサーで使用するためのものであり、発泡していない液体で充填される。
【００３４】
プロセッサ１３２が、オブジェクトセンサー１４２を介して、物体が分注ゾーン内にあると判断すると、プロセッサ１３２は、パルス幅変調回路１８０およびスイッチング装置１８２を介して、モーター１５０を作動させる。流体は、容器１１２から液体入口１９４を介して、モーター１５０によって駆動するポンプ１１６内に引き出される。この例示的な実施形態では、ポンプ１１６は、一つの液体ポンプチャンバと３つの空気ポンプチャンバとを含む、逐次的に作動するマルチダイヤフラムポンプである。いくつかの例示的な実施形態は、複数の液体ポンプチャンバ／ダイヤフラム、３つを超える空気ポンプチャンバ／ダイヤフラム、または３つ未満の空気ポンプチャンバ／ダイヤフラムを含む。いくつかの例示的な実施形態では、ピストンポンプを使用して、流体を送り出す。
【００３５】
連続的に作動するマルチダイヤフラムポンプの例示的な実施形態は、２０１７年２月１０日に出願され、「ＨＩＧＨ  ＱＵＡＬＩＴＹ  ＮＯＮ−ＡＥＲＯＳＯＬ  ＨＡＮＤ  ＳＡＮＩＴＩＺＩＮＧ  ＦＯＡＭ」と題された米国非仮出願番号第１５／４２９，３８９号；２０１６年１２月５日に出願され、「ＳＥＱＵＥＮＴＩＡＬＬＹ  ＡＣＴＩＶＡＴＥＤ  ＭＵＬＴＩ−ＤＩＡＰＨＲＡＧＭ  ＦＯＡＭ  ＰＵＭＰＳ，  ＲＥＦＩＬＬ  ＵＮＩＴＳ  ＡＮＤ  ＤＩＳＰＥＮＳＥＲ  ＳＹＳＴＥＭＳ」と題された米国非仮出願番号第１５／３６９，００７号；２０１６年１１月１８日に出願され、「ＳＥＱＵＥＮＴＩＡＬＬＹ  ＡＣＴＩＶＡＴＥＤ  ＭＵＬＴＩ−ＤＩＡＰＨＲＡＧＭ  ＦＯＡＭ  ＰＵＭＰＳ，ＲＥＦＩＬＬ  ＵＮＩＴＳ  ＡＮＤ  ＤＩＳＰＥＮＳＥＲ  ＳＹＳＴＥＭＳ」と題された米国非仮特許出願番号第１５／３５５，１１２号；２０１６年１１月１４日に出願され、「ＩＭＰＲＯＶＥＤ  ＦＯＡＭＩＮＧ  ＣＡＲＴＲＩＤＧＥ」と題された米国非仮出願番号第１５／３５０，１９０号；２０１６年１１月２１に出願され、「ＦＯＡＭ  ＤＩＳＰＥＮＳＩＮＧ  ＳＹＳＴＥＭＳ，ＰＵＭＰＳ  ＡＮＤ  ＲＥＦＩＬＬ  ＵＮＩＴＳ  ＨＡＶＩＮＧ  ＨＩＧＨ  ＡＩＲ  ＴＯ  ＬＩＱＵＩＤ  ＲＡＴＩＯＳ」と題された米国非仮出願番号第１５／３５６，７９５号；および２０１７年４月６日に出願され、「ＦＯＡＭ  ＤＩＳＰＥＮＳＩＮＧ  ＳＹＳＴＥＭＳ，ＰＵＭＰＳ  ＡＮＤ  ＲＥＦＩＬＬ  ＵＮＩＴＳ  ＨＡＶＩＮＧ  ＨＩＧＨ  ＡＩＲ  ＴＯ  ＬＩＱＵＩＤ  ＲＡＴＩＯＳ」と題された、米国非仮出願番号第１５／４８０，７１１号に示され、開示されており、それぞれはその全体が本明細書に組み込まれている。
【００３６】
さらなる例示的なディスペンサーならびにタッチフリーディスペンサーの回路についての詳細は、２０１３年２月１９日に出願され、「Ｐｏｗｅｒ  Ｓｙｓｔｅｍｓ  ｆｏｒ  Ｔｏｕｃｈ  Ｆｒｅｅ  Ｄｉｓｐｅｎｓｅｒｓ  ａｎｄ  Ｒｅｆｉｌｌ  Ｕｎｉｔｓ  Ｃｏｎｔａｉｎｉｎｇ  ａ  Ｐｏｗｅｒ  ｓｏｕｒｃｅ」と題された米国特許出願番号第１３／７７０，３６０号でより完全に説明および示される場合があり、参照によりその全体が本明細書に組み込まれる。
【００３７】
モーター１５０およびポンプ１１６の回転は、速度センサー１９０によって検出される。この特定の実施形態では、速度センサー１９０は、モーター１５０、一つまたは複数のギア（図示せず）および／またはポンプ１１６の回転を決定する。この例示的な実施形態では、流体の一回の「用量」は、モーター１５０および／またはポンプ１１６の選択された回転数によって生成される。この例示的な実施形態では、ディスペンサー１００は、選択された時間にわたって選択された用量の流体を分注するように設定される。例えば、ディスペンサーは、例えば、１．５ｍＬの流体の用量を、例えば１．５秒の選択された時間で分注するように設定され得る。パルス幅変調回路１８０は、制御スイッチング装置１８２が、選択されたパルス幅を有する電圧を、モーター１５０に提供するように設定される。元の選択されたパルス幅は、例えば、５０％負荷サイクルパルス幅であり得る。元のパルス幅は、例えば、完全に充電された電源、新しいモーター、流体でいっぱいの容器など、元の仕様に基づいて選択することができる。
【００３８】
ディスペンサー１００が、選択された用量の流体を分注するたびに、または定期的に、モーター１５０および／またはポンプ１１６が、選択された回転数を回転させて、選択された用量の流体を分注するのにかかる分注時間は、プロセッサ１３２によって決定され、分注時間および／または速度はメモリ１３３に保存される。分注時間および／または速度は、将来の分注のパルス幅を調整するために使用され得る。例えば、パルス幅が、元々５０％負荷サイクルに設定され、例えば１．５ｍｌなどの選択された流体の用量が、例えば、１．５秒などの選択された時間に分注され、プロセッサ１３２が、選択された流体の用量を分注するのに１．６秒かかったと判断する場合、パルス幅を、例えば５５％に増加させ、選択された流体の用量を分注する時間を減少させるモーターの速度を増加させることができる。
【００３９】
いくつかの実施形態では、パルス幅の再較正またはリセットは、各分注イベントの後に行われるが、再較正は定期的に行われることが好ましい。いくつかの実施形態では、再較正は、例えば、２０回の分注、３０回の分注、４０回の分注、５０回の分注、または任意の所望の数の分注など、選択された数の分注後に行われる。いくつかの実施形態では、再較正は、例えば、１日後、５日後、１０日後、２０日後、３０日後など、選択された時間後に行われる。いくつかの実施形態では、再較正は、分注数と一定時間との組み合わせ後に行われる。いくつかの実施形態では、再較正は無作為に行われる。
【００４０】
いくつかの実施形態では、再計算は、例えば、電圧などのパラメータの関数として行われる。いくつかの実施形態では、パラメータは電圧であり、電圧が、例えば、所定量だけ変化する場合、電源の電圧は、選択された閾値だけ変化し、例えば、設定された量または設定された割合だけ落ちると、再計算が行われる。いくつかの実施形態では、パラメータは電流ドローである。例えば、モーターの電流ドローが設定した量または設定した割合だけ増加すると、再計算が行われる。いくつかの実施形態では、パラメータが連続して複数の分注の閾値を超えない限り、再計算は行われない。従って、ディスペンサー１００は、例えば、モーターの摩耗、効率、ポンプの剛性および摩耗、環境要因など、ディスペンサー構成要素の変化に自己調整または自動調整して、選択された流体の用量を、例えば、設定された分注時間内などの選択されたパラメータ内で、一貫して分注できるようにすることができる。
【００４１】
図２および図３は、パルス幅変調回路１８０およびスイッチング装置１８２による例示的な波形出力を示す。これらの例示的な実施形態では、電圧は５ボルトであり、一サイクルは０．２秒である。図２の波形は、２５％の負荷サイクルを表し、これは、モーターが約５ボルトで約０．０５秒間の電圧パルスに続いて、実質的に電圧がない０．１５秒の電圧パルスを受けることを意味する。同様に、図３は、５０％の負荷サイクルを表し、これは、モーターが約５ボルトで約０．１秒間の電圧パルスに続いて、実質的に電圧がない０．１秒の電圧パルスを受ける波形を示す。任意の適切な負荷サイクルを、本出願で使用することができる。一般に、負荷サイクルは、１０％の負荷サイクルよりも大きい。本明細書で使用される場合、負荷サイクルは、電圧が印加されるユニットの割合に適用される。例えば、１００％負荷サイクルは、電圧が常に印加されることを意味する。９０％負荷サイクルとは、電圧がサイクルの９０％の間オンになり、サイクルの１０％の間オフになることを意味する。４０％負荷サイクルとは、電圧がサイクルの４０％の間オンになり、サイクルの６０％の間オフになることを意味する。
【００４２】
さらに、いくつかの実施形態では、電圧の変化は、同じ結果を達成するために使用され得る。いくつかの実施形態では、パルス幅変調回路は、電圧増加回路／電圧減少回路を含み得る。
【００４３】
さらに、ディスペンサー１００は、調節可能なディスペンサーである。言い換えれば、ディスペンサー１００は、顧客の所望の出力または処方の変化に合わせて調整され得る。例えば、いくつかの実施形態では、顧客はより小さな用量の流体を希望する。いくつかの実施形態では、顧客はより乾燥した泡の出力を希望する。いくつかの実施形態では、顧客はより湿った泡の出力を希望する。ディスペンサー１００は、これらの例、およびそれ以上の例に対応するように構成される。
【００４４】
モーター１５０およびポンプ１１６の速度は、泡の質を調整するように調整され得る。この例示的な実施形態では、ポンプ１１６は、連続的に作動するマルチダイヤフラム泡ポンプである。ポンプ１１６は、三つの空気ポンプダイヤフラムおよび単一の液体ポンプダイヤフラムを有し、これは組み込まれた一つまたは複数の参考資料に示され、説明されている。ポンプダイヤフラム間の相互作用のため、ポンプ１１６の速度が変化すると、泡の出力における液体／空気の比は一貫しない。例えば、ポンプ１１６が、０．９秒に１．１ｍＬの液体を含む泡を分注する速度で運転される場合、泡はより湿った泡である。ポンプ１１６が、０．７秒に１．１ｍＬの液体を含む泡を分注する速度で運転される場合、泡は中程度の湿り具合である。ポンプ１１６が、０．５秒に１．１ｍＬの液体を含む泡を分注する速度で運転される場合、泡は乾燥した泡である。従って、逐次的に作動するマルチダイヤフラム泡ポンプの泡特性は、ポンプ１１６の速度に基づいて変更することができる。いくつかの実施形態では、ユーザーは、携帯プログラミング装置をヘッダ１３４に接続し、モーター１５０およびポンプ１１６を所望の速度に変更して、泡特性を調整することができる。いくつかの実施形態では、無線通信回路１４０を使用して、モーター速度を設定し、泡特性を変更することができる。さらに、分注用量当たりの流体の体積は、ポンプをより長く運転することによって変更できる。いくつかの実施形態では、パルス幅変調回路は、速度を制御するために使用され得る。パルス幅変調は、パルス幅を変化させることによって、モーターに送達される電力を変化させる。その他の電力制御回路は、電圧または電流を変化させるための回路を含み、速度を制御するために使用され得る。パルス幅変調回路に関して本明細書で説明されるすべての実施形態はまた、パルス幅変調回路に関して本明細書に説明される機能を実施するための電力制御回路を開示すると解釈されるべきである。
【００４５】
図４は、別の例示的なディスペンサー４００を図示する。ディスペンサー４００は、ディスペンサー１００と同様であり、同様の構成要素は同一の数字識別子を有し、本明細書では再度説明されない。ディスペンサー４００は、自動較正ディスペンサーである。この例示的な実施形態では、再充填ユニット１１２はキー４２０を含む。キー４２０は、例えば、ＲＦＩＤ装置などのリーダー４１０によって読み取られ得る電子キーであることが好ましい。いくつかの実施形態では、キー４１０は、リーダー４１０で読み取ることができるカラーキーである。いくつかの実施形態では、キー４２０は、再充填特性を示す物理的しるしを含む、機械的キーである。従って、キー４２０は、無線で、またはリーダー４１０を介した物理的しるしの一つまたは複数のセンサーを介して、読み取られる。
【００４６】
キー４２０から読み取られたデータの関数として、プロセッサ１３２は、再充填部４１０から流体を分注するための動作パラメータを決定する。例えば、再充填ユニット４１０は、石鹸、濃縮石鹸、ローション、消毒剤または別のタイプの流体を含み得る。これらの異なるタイプの流体はそれぞれ、異なる分注パラメータまたは要件を有してもよい。例えば、再充填ユニット４１０がより多い量の空気を必要とする濃縮石鹸を含む場合、ディスペンサー４００は、モーター１５０をより高速で操作して、流体出力の空気対液体比を高め、ディスペンサー４００をより短時間操作して、より少ない液体を分注することができる。再充填ユニット４１０が非濃縮石鹸を含む場合、ディスペンサーは、より長い時間、より遅い速度で動作し得る。さらに、再充填ユニット４１０が消毒剤を含む場合、ディスペンサーは、さらに別の長さの間、さらに別の速度で動作し得る。従って、ディスペンサー４００は、キー４２０から読み取られたデータの関数として、例えば、速度、時間、体積など、その動作特性を自動較正する能力を有する。さらに、いくつかの実施形態では、ディスペンサーは、空気または液体ポンプチャンバの体積を変化させることなく、また液体ポンプチャンバまたは空気ポンプチャンバの圧縮膨張ストロークを物理的に変化させることなく、泡出力の空気対液体比を変更し得る。
【００４７】
図５および図６は、ディスペンサー５０１および再充填ユニット５５０を有する、ディスペンサーシステム５００の例示的な実施形態を図示する。図５では、再充填ユニット５５０はディスペンサー５０１に挿入されている。図６では、再充填ユニット５５０はディスペンサー５０１の上に位置する。再充填ユニット５５０は、閉鎖部５５２を有する容器５１２を含む。容器５１２は、液体が容器５１２から引き出されたときにその形状を維持するように設計された半剛性容器であり、また本明細書では潰れない容器と呼ばれる場合がある。容器が潰れる、または許容できない真空圧の増加を防ぐために、閉鎖部５５２内に位置するのは、液体が流出するときに容器内に空気が流入し、容器５１２がその形状を維持し、液体が容器５１２から流出することを可能にする通気弁５５４である。通気弁５５４は、容器５１２を変形または潰れさせる真空圧を生成するのを防ぐのに十分に低いクラッキング圧力を有するように選択される。
【００４８】
また、閉鎖部５５２内に位置するのは、出口弁５５６である。出口弁５５６は、容器５１２がディスペンサー５０１に挿入されていない時に、流体形態が容器５１２から流出するのを防止するように構成される。いくつかの実施形態では、出口弁５５６は穿刺弁である。言い換えれば、出口弁５５６は、ディスペンサー５０１に挿入されるまで開口部のない固体であるが、出口弁５５６は、再充填ユニット５５０がディスペンサー５０１に挿入されると、液体入口導管５３２によって穿孔される。いくつかの実施形態では、出口弁５５６は、スリット弁であるか、または通常は閉じていて、液体入口導管５３２上に押し付けられると開く、小さな開口部を有する。いくつかの実施形態では、出口弁５５６は弾性であってもよい。いくつかの実施形態では、出口弁５５６は、ゴム、シリコン、またはこれに類するもので作製され得る。いくつかの実施形態では、出口弁５３２は、可動部分（図示せず）およびシート（図示せず）を含み、再充填ユニット５５０がディスペンサー５０１に挿入されると、可動部分がシートから外れて、流体が容器５１２から液体入口５３２に流れ込むことができる。例示的再充填ユニットは、２０１６年１１月１１日に出願され、「ＤＩＳＰＥＮＳＥＲＳ，ＲＥＦＩＬＬ  ＵＮＩＴＳ，ＡＮＤ  ＲＥＵＳＡＢＬＥ／ＲＥＰＬＡＣＥＡＢＬＥ  ＰＵＭＰ  ＡＳＳＥＭＢＬＩＥＳ」と題された米国仮特許出願第６２／４２０９２７号、および２０１７年１１月１０日に出願されたＰＣＴ出願第ＰＣＴ／ＵＳ１７／６１０１３号に示され、説明されており、その全体が参照により本明細書に組み込まれている。
【００４９】
ディスペンサー５０１は、ハウジング５０２およびレセプタクル６１０を有する。再充填ユニット５５０は、レセプタクル６１０に適合する。レセプタクル６１０は、再充填ユニット５５０と係合し、再充填ユニット５５０がレセプタクル６１０から取り外されるのを防ぐ捕捉機構（図示せず）を含む。リリース機構（図示せず）は、再充填ユニット５５０をディスペンサー５０１から取り外すために使用される。レセプタクル６１０の底部に位置するのは、液体入口導管５５６である。液体入口導管５３６は、貯蔵部６３０と流体連通している。
【００５０】
貯蔵部６３０は、ハウジング６１２によって部分的に形成されてもよい。ハウジング６１２は、環状突起部６１４を含む。貯蔵部６３０は、ハウジング６１２に接続する貯蔵部ハウジング６３２を含む。貯蔵部ハウジング６３２の一端に位置するのは、任意のシール６３８を含む液体出口６３４である。シール６３８は、ポンプ入口導管５４０の周りを密封する。例えば、ウェルド接続などのその他の方法を使用して、導管を貯蔵部ハウジング６３２に接続することができる。貯蔵部液体入口導管５５６は、貯蔵部液体出口導管６３４からオフセットされる。
【００５１】
貯蔵部６３０は、再充填ユニット５５０が交換される時に流体の予備を提供する。いくつかの実施形態では、流体の予備は、再充填ユニット５５０が交換される時にプライムの損失を防止するのに役立つ。さらに、いくつかの実施形態では、貯蔵部６３０は、ポンプ５２０およびモーター５１０をハウジング５０２内に配置するための柔軟性を可能にする。いくつかの実施形態では、ポンプ入口導管５４０は、貯蔵部ハウジング６３２を回転させるだけで、複数の位置に配置することができる。さらに、液体出口６３４は、貯蔵部ハウジング３４上の異なる位置に移動してもよい。
【００５２】
ポンプ５２０は、例えば、本明細書に組み込まれた上述のものなどの任意のポンプであってもよく、液体ポンプチャンバ５２２および複数の空気ポンプダイヤフラム５２４（一つのみ図示）を含む。ポンプ５２０は、第一の液体入口弁５４２、第二の液体入口弁５４２、混合チャンバ５４６、発泡部材５４８、および出口５４９を含む。ディスペンサー５００は、本明細書に記載または組み込まれるその他の実施形態で説明されるように動作し得る。いくつかの実施形態では、第一の液体入口弁５４２は、第一のクラッキング圧力を有し、第二の入口弁５４２は、第二のクラッキング圧力を有する。いくつかの実施形態では、第一のクラッキング圧力は、第二のクラッキング圧力よりも高い。二つの液体入口弁を有する例示的な実施形態は、２０１７年１１月６日に出願され、「Ｄｏｕｂｌｅ  Ｉｎｌｅｔ  Ｖａｌｖｅ  ｆｏｒ  Ｅｎｈａｎｃｅｄ  Ｐｕｍｐ  Ｅｆｆｉｃｉｅｎｃｙ」と題された米国仮出願番号第６２／５８１，８２０号に示され、説明されており、参照によりその全体が本明細書に組み込まれている。
【００５３】
本明細書に開示される手順は、追加的なステップまたはより少ないステップを含み得る。さらに、ブロックの配列の順序は限定されず、また配列は異なる順序またはさまざまな順序で実行されてもよい。図７は、ディスペンサーを制御して、再充填ユニットの寿命を通して一貫した出力を確保するための例示的手順７００である。例示的手順７００は、ブロック７０２で開始する。ブロック７０４で、分注イベントが検出される。分注イベント中、ディスペンサーは一定量の流体を分注する。いくつかの実施形態では、ディスペンサーは、設定された時間内に一定量の流体を分注するように元々較正されている。例えば、ディスペンサーは０．７秒で１．１ｍＬの流体を分注するように設定され得る。分注の所望の速度／時間を達成するために、パルス幅変調回路は、例えば２５％の負荷サイクルなどのベースまたはセットポイントで最初に設定される。言い換えれば、サイクルが０．２秒である場合、２５％に設定された変調回路を備えたパルスは、選択された用量の流体を分注するために、選択された時間の０．２秒のサイクルまたは時間枠から、０．０５秒の電圧パルスをモーターへ送達することになる。
【００５４】
分注イベントが行われるたびに、例えば、分注イベントの時間および／速度などの分注パラメータが、ブロック７０６で決定される。上述のように、測定することのできる分注時間および／または用量サイズを示す他のパラメータには、例えば、ディスペンサー電圧、電流ドローなどが含まれる。さらに、上述のように、いくつかの実施形態では、分注パラメータは、選択された数の分注の後、またはいくつかの他の基準が満たされた後に決定される。
【００５５】
分注のための時間および／または速度などのパラメータは、ブロック７０８に保存される。ブロック７１０で、パラメータは閾値と比較される。望ましいパラメータが分注の数である場合、手順は、分注の数が閾値の分注の数を超えたかどうかを判断する。閾値が時間の場合、手順は設定された時間が経過したかどうかを判断する。パラメータが更新され、閾値に達していない場合、手順はブロック７０４に戻る。閾値に達している場合、パラメータが許容範囲内にあるか、または設定された閾値内にあるかを判断する。例えば、パラメータが速度の場合、速度が許容範囲内または閾値内にあるかについて判断される。そうである場合、手順はブロック７０４に戻る。そうでない場合、モーターに電力供給する電圧パルスの幅が調整される。いくつかの実施形態では、上記のブロックのうち一つまたは複数は使用されない。いくつかの実施形態では、追加のブロックが使用される。
【００５６】
いくつかの実施形態では、ディスペンサーは、各分注後に再較正され、ブロック７１０は不要である。いくつかの実施形態では、ディスペンサーは２回以上の分注後に再較正され、いくつかの実施形態では、ディスペンサーは５回の分注後に再較正され、いくつかの実施形態では、ディスペンサーは１０回の分注後に再較正され、いくつかの実施形態では、ディスペンサーは１５回の分注後に再較正され、いくつかの実施形態では、ディスペンサーは２０回の分注後に再較正され、いくつかの実施形態では、ディスペンサーは２５回の分注後に再較正され、いくつかの実施形態では、ディスペンサーは３０回の分注後に再較正され、いくつかの実施形態では、ディスペンサーは３５回の分注後に再較正され、いくつかの実施形態では、ディスペンサーは４０回の分注後に再較正され、いくつかの実施形態では、ディスペンサーは４５回以上の分注後に再較正される。
【００５７】
いくつかの実施形態では、パラメータは時間であり、いくつかの実施形態では、再較正は、例えば、１日後、５日後、１０日後、２０日後、３０日後など、選択された時間後に行われる。いくつかの実施形態では、再較正は、分注数と一つまたは複数の一定時間との組み合わせの関数として行われる。例えば、ディスペンサーは通常、２５回の分注後に、それ自体を再較正することができるが、最後の再較正から、例えば、５日などの設定期間が経過した場合、再較正をトリガーするためには１０回の分注のみが必要であり得る。いくつかの実施形態では、ディスペンサーは、選択された数の分注または選択された期間のいずれか早い方の後に再較正し得る。
【００５８】
図８は、ディスペンサーを自動較正するための例示的手順８００である。いくつかの実施形態では、ディスペンサーは、例えば、石鹸、濃縮石鹸、消毒剤、泡消毒剤、ローションなど、多くの異なるタイプの製品を分注できる。しかし、例えば、流体の量、分注速度、分注の長さなど、一つまたは複数の分注パラメータは、流体のタイプによって異なる。いくつかの実施形態では、一つの処方を有する流体は、例えば、より湿った泡、またはより乾燥した泡、またはより少ない用量の流体、またはより多い用量の流体に対する要望など、顧客の嗜好に基づいて異なるパラメータを用いて分注され得る。
【００５９】
例示的手順８００は、ブロック８０２で開始され、ブロック８０４では、新しい再充填ユニットがディスペンサーに取り付けられているかどうかについての判断が行われる。ディスペンサーに新しい再充填が挿入されない場合、手順はブロック８０２に戻る。新しい再充填ユニットがディスペンサーに取り付けられている場合、データはブロック８０６で再充填ユニットから読み取られる。ブロック８０８で、ディスペンサーは、再充填ユニット内の流体のタイプに合わせてディスペンサーを自動的に較正する。いくつかの実施形態では、ブロック８０８の後で手順を終了する。こうした実施形態では、ディスペンサーは、一つのタイプの流体に対してのみ較正できる。これにより、作業者が誤ったタイプの流体をディスペンサーに誤って挿入することを防ぐ。例えば、ディスペンサーが病院で使用され、手指消毒剤が必要な場合、最初に消毒剤ディスペンサーとして設定された後に、ローションをディスペンサーから分注できない。いくつかの実施形態では、手順は、ブロック８０８では終了せず、むしろ戻り、新しい再充填ユニットが取り付けられ、再充填ユニットから読み取られたデータが元の再充填ユニットと異なる場合、ブロック８０８で調整されたパラメータはディスペンサーを無効にする。いくつかの実施形態では、再充填ユニットから読み取られたデータが元の再充填ユニットと異なる場合、ディスペンサーは新しい再充填ユニット用に再較正される。
【００６０】
図９は、ディスペンサーの出力を調整するための例示的手順９００である。いくつかの実施形態では、ディスペンサーを調整して、流体出力を調整する。例示的手順は、ブロック９０２で開始する。ブロック９０４で、例えば、ディスペンサー速度などのディスペンサーパラメータが調整され得る。速度は、例えば、泡出力の湿り度または乾燥度を調整するために調整され得る。速度が高速になると、より湿った泡出力が得られ、より遅い速度でより乾燥した泡が生成される。手順はブロック９０６に進み、必要に応じて出力量が調整される。例えば、分注間の時間、過度の使用パラメータなど、その他のパラメータを設定することができる。いくつかの実施形態では、ユーザーが短時間に多くの用量の流体を得る能力を制限することが、無駄を防止するのに望ましい場合がある。いくつかの実施形態では、例えば、設定された時間に誰かがディスペンサーからより多くの流体を取得することを防止するためなど、過度の使用パラメータが設定されてもよい。
【００６１】
パラメータは、例えば、ラップトップまたはＰＤＡなどの携帯装置を用いて、ディスペンサーのヘッダまたは通信ポートと接続することによって調整され得る。いくつかの実施形態では、ディスペンサーパラメータは、無線で、例えば、一つまたは複数のネットワークを介して、インターネットを介して、または例えば、スマートフォンなど、ＰＤＡへのブルートゥース接続などによって近接して構成される。
【００６２】
本発明のさまざまな発明の態様、概念および特徴は、例示的な実施形態で組み合わせて実施されるものとして本明細書で説明および図示されてもよく、これらのさまざまな態様、概念および特徴は、多くの代替的実施形態で、個々に、またはさまざまな組み合わせおよびサブコンビネーションのいずれかで、使用されてもよい。添付の特許請求の範囲をこのような詳細に制限する、または何らかの方法で制限することは、出願人の意図ではない。本明細書に明示的に除外されない限り、こうしたすべての組み合わせおよびサブコンビネーションは、本発明の範囲内であることが意図されている。さらに、本発明のさまざまな態様、概念、および特徴に関するさまざまな代替実施形態、例えば、代替材料、構造、構成、方法、回路、デバイスとコンポーネント、ソフトウェア、ハードウェア、制御ロジック、形成、適合、および機能に関する代替物などが本明細書で記載され得るが、そのような記載は、現在公知であるか、または後に開発されるかに関わらず、利用可能な代替的実施形態の完全なまたは網羅的なリストであることを意図していない。当業者であれば、このような実施形態が本明細書に明示的に開示されていない場合であっても、本発明の範囲内での本発明の態様、概念または特徴のうち一つまたは複数を追加の実施形態に容易に採用し、使用することができる。さらに、本発明のいくつかの特徴、概念または態様は、好ましい配置または方法であるとして本明細書に説明され得るが、こうした説明は、明示的に述べられない限り、こうした特徴が必要とされるまたは必要であることを示唆する意図はない。さらに、例示的または代表的な値および範囲は、本開示の理解を助けるために含めることができるが、このような値および範囲は、限定的意味で解釈されるべきではなく、明示的に述べられている場合に限り、重要な値または範囲であることを意図している。さらに、さまざまな態様、特徴および概念は、発明性がある、または発明の一部を形成するものとして本明細書に明示的に識別され得るが、このような識別は排他的であるように意図されておらず、むしろそのようなものとして、または特定の発明の一部として明示的に識別されることなく、本明細書で完全に説明される発明の態様、概念、および特徴があり得る。例示的方法またはプロセスの説明は、すべての場合に必要とされるすべてのステップの包含に限定されず、明示的に述べられていない限り、ステップが提示される順序は、必要とされるまたは必要であると解釈されるものでもない。
【図１】
2021501652.tif 000003
【図２】
2021501652.tif 000004
【図３】
2021501652.tif 000005
【図４】
2021501652.tif 000006
【図５】
2021501652.tif 000007
【図６】
2021501652.tif 000008
【図７】
2021501652.tif 000009
【図８】
2021501652.tif 000010
【図９】
2021501652.tif 000011
【国際調査報告】
2021501652.tif 000012
2021501652.tif 000013
2021501652.tif 000014
2021501652.tif 000015